(57)【要約】【課題】メーター交換などの工事の際に、ヒートポンプ給湯機などの電化製品の電源装置に誤印加した場合でも、印加される電圧が正常に戻ると、電化製品などの駆動部の運転を再開することができる使用性の高い電源制御装置を提供する。【解決手段】交流電圧から直流電圧に変換する電圧変換回路２と、電圧変換回路２で変換した後の直流電圧を測定する電源測定回路３と、前記直流電圧で駆動する駆動部８とを備え、電源測定回路３で測定された直流電圧値が、駆動部８の定格電圧値と異なる場合には、駆動部８を停止するとともに、電源測定回路３で前記直流電圧値を検出することを継続し、前記直流電圧値が、前記定格電圧値に復帰した場合には、駆動部８の運転を再開させることを継続することを特徴とする。【選択図】図１
2007151254.tif 000002
【特許請求の範囲】
【請求項１】
交流電圧から直流電圧に変換する電圧変換回路と、前記電圧変換回路で変換した後の直流電圧を測定する電源測定回路と、前記直流電圧で駆動する駆動部とを備え、前記電源測定回路で測定された直流電圧値が、前記駆動部の定格電圧値と異なる場合には、前記駆動部を停止するとともに、電源測定回路で前記直流電圧値を検出することを継続し、前記直流電圧値が、前記定格電圧値に復帰した場合には、前記駆動部の運転を再開させることを特徴とする電源制御装置。
【請求項２】
運転状況を案内する運転状況表示部を備え、所定の時間、前記直流電圧値が、前記定格電圧値と異なる場合には、印加された交流電圧値が異常であることを案内する異常案内を、前記運転状況表示部に表示することを特徴とする請求項１に記載の電源制御装置。
【請求項３】
所定の時間経過後、前記直流電圧値が、前記定格電圧値に復帰し、かつ駆動部の運転が再開した時には、前記異常案内の表示を消すことを特徴とする請求項２に記載の電源制御装置。
【発明の詳細な説明】
【技術分野】
【０００１】
本発明は、電化製品を保護するための電源制御装置に関するものである。
【背景技術】
【０００２】
従来、ヒートポンプ給湯機や空気調和機などの電源制御装置は、直流電圧測定により、入力交流電圧の誤印加の検出を行っている（例えば、特許文献１参照）。
【特許文献１】特開２０００−７６９９３号公報
【発明の開示】
【発明が解決しようとする課題】
【０００３】
しかしながら、近年増加しているオール電化工事のメーター交換などの工事において、工事の時だけ異なる電圧が製品に印加されることがある。前記従来の方法では、誤印加を検出した際には、製品の設置異常であるとし、製品が完全に停止してしまうか、もしくは誤印加のまま通常の運転をしてしまい、正常な運転が不能となってしまう場合がある。
【０００４】
本発明は、前記従来の課題を解決するもので、メーター交換などの工事の際に、ヒートポンプ給湯機などの電化製品の電源装置に誤印加した場合でも、印加される電圧が正常に戻ると、電化製品などの駆動部の運転を再開することができる使用性の高い電源制御装置を提供することを目的とする。
【課題を解決するための手段】
【０００５】
前記従来の課題を解決するために、本発明の電源制御装置は、交流電圧から直流電圧に変換する電圧変換回路と、前記電圧変換回路で変換した後の直流電圧を測定する電源測定回路と、前記直流電圧で駆動する駆動部とを備え、前記電源測定回路で測定された直流電圧値が、前記駆動部の定格電圧値と異なる場合には、前記駆動部を停止するとともに、電源測定回路で前記直流電圧値を検出することを継続し、前記直流電圧値が、前記定格電圧値に復帰した場合には、前記駆動部の運転を再開させることを継続することを特徴とするものである。
【０００６】
これによって、電源電圧の誤印加が発生した場合でも、電源制御装置は停止せず、電源電圧が正常な状態、つまり駆動部が動作する正常な電圧に戻った場合は、駆動部の運転を再開することができる。
【発明の効果】
【０００７】
メーター交換などの工事の際に、ヒートポンプ給湯機などの電化製品の電源制御装置に誤印加した場合でも、印加される電圧が正常に戻ると、電化製品などの駆動部の運転を再開することができる使用性の高い電源制御装置を提供することができる。
【発明を実施するための最良の形態】
【０００８】
第１の発明は、交流電圧から直流電圧に変換する電圧変換回路と、前記電圧変換回路で変換した後の直流電圧を測定する電源測定回路と、前記直流電圧で駆動する駆動部とを備え、前記電源測定回路で測定された直流電圧値が、前記駆動部の定格電圧値と異なる場合には、前記駆動部を停止するとともに、電源測定回路で前記直流電圧値を検出することを継続し、前記直流電圧値が、前記定格電圧値に復帰した場合には、前記駆動部の運転を再開させることにより、電源電圧の誤印加が発生しても、電源制御装置は停止せずに、印加されている電源電圧の測定を継続して行い、印加されている電源電圧値が、通常、駆動部が動作する電源電圧値になったときに、駆動部の運転を再開することができるので、駆動
部の正常な運転が不能となる状態を防止し、また電源電圧の誤印加であるにも関わらず、設置異常であると製品が認識したまま停止するという事態を防止することができる。
【０００９】
第２の発明は、特に第１の発明において、運転状況を案内する運転状況表示部を備え、所定の時間、前記直流電圧値が、駆動部の定格電圧値と異なる場合には、印加された交流電圧値が異常であることを案内する異常案内を、前記運転状況表示部に表示することにより、使用者に現在の駆動部の状態を示すことができ、なおかつ所定の時間、前記直流電流が正常値に戻らないので、使用者は設置による異常で駆動部が停止していることを確認することができる。
【００１０】
第３の発明は、特に第２の発明において、所定の時間経過後、前記直流電圧値が、前記定格電圧値に復帰し、かつ駆動部の運転が再開した時には、前記異常案内の表示を消すことにより、所定の時間経過後であっても、駆動部の運転が再開し、正常な運転に戻った時には、正常な運転であると判断するので、使用者は、駆動部が正常に動作していることを確認することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における電源制御装置の制御回路ブロック図を示すものである。本実施の形態では、駆動部はヒートポンプ給湯機の駆動部を例にとって示すが、本発明の電源制御装置は、ヒートポンプ給湯機の電源制御装置に限定したものではなく、空気調和機やその他の電源を有する装置にも適用できる。
【００１３】
図１において、電源制御装置１は、交流から直流に電源電圧を変換する電圧変換回路２と、入力電圧を測定する電源測定回路３と、回路の電流を遮断する保護回路であるリレースイッチ５と、ヒートポンプ給湯機への電源が入力される駆動部８と、電源制御装置１において計算などを行う電源制御部１０から構成される。本実施の形態では、電源制御部１０はマイクロコンピュータで構成されている。また、電源測定回路３で測定された電圧値が異常である場合には、異常であることを使用者に表示する運転状況表示部７、駆動部８へ電源を供給する交流電源６を備えている。
【００１４】
以上のように構成されたヒートポンプ給湯機の電源制御装置について、以下その動作、作用を説明する。
【００１５】
図２は、本実施の形態における制御チャート図である。以下、図２を用いて本実施の形態における制御を説明する。
【００１６】
まず、ヒートポンプ給湯機の運転を開始すると、交流電源６の電圧を電圧変換回路２にて直流電圧に変換し、変換した直流電圧の値を電源測定回路３にて測定し、駆動部８へと電源が供給される。この時、電源測定回路３で計測した値を用いて、電源制御部１０であるマイクロコンピュータにて入力された交流電源６の値を算出する。もし、交流電源６の値が、所定の目標値（図２において示す電圧閾値）以下の印加電圧値、つまり駆動部８が正常に動く範囲外の電圧値の場合には、電源制御部１０は異常であると判断して、ヒートポンプ給湯機の駆動部８の運転を停止する。この時、リレースイッチ５は閉じたままである。
【００１７】
次に、印加電圧が異常であると判断している間の時間が、ある所定の時間経つと、運転状況表示部７には、異常であることを示す案内を示す。しかし、印加電圧が正常範囲内の
電圧に復帰した場合には、ヒートポンプ給湯機の運転を開始するとともに、運転状況表示部７に示した案内を消す。
【００１８】
なお、異常な電圧値を計測してから所定時間経過後、運転状況表示部７に異常であることの案内を示したあと、保護回路であるリレースイッチ５を開いて、電圧の計測を中止する制御を行っても良い。このような制御を行うことで、電圧を計測し続ける時間を、ある所定の時間内に限定することになるので、常に電圧を測定し続ける構成に比べて、消費電力の削減を行うことができる。
【００１９】
また、本実施の形態では、ヒートポンプ給湯機の運転を開始したあと、印加電圧が異常であることを検出し、ヒートポンプ給湯機の運転を停止する制御を詳述したが、図３、図４に示すように、ヒートポンプ給湯機の運転を行わずして、常に電圧を測定できる構成としてもよい。図３、図４は、他の実施の形態における制御チャート図である。図３、図４においては、常に電圧を測定できる状況にあるので、電圧値が正常値に戻り次第、ヒートポンプ給湯機の運転を開始する制御を行っており、図３では、電圧の異常を検知してから所定の時間経過後に、運転状況表示部７で異常案内を表示しているのに対して、図４では、電圧の異常を検知してからすぐに運転状況表示部７において異常案内を表示している。このような制御を行うことで、ヒートポンプ給湯機の運転を開始する前に、印加されている電圧が異常であることを、使用者に認識させることができるので、使用者が間違ってヒートポンプ給湯機の運転を開始させてしまうことを防止することができ、誤印加電圧によるヒートポンプ給湯機の故障要因を減少させることができる。特に、図４に示す実施の形態では、異常検知後すぐに異常案内を表示させているので、迅速に使用者に異常を案内し、異常電圧の元においてヒートポンプ給湯機の運転を開始することを防止している。
【００２０】
以上のように、本実施の形態においては、交流電圧から直流電圧に変換する電圧変換回路と、前記電圧変換回路で変換した後の直流電圧を測定する電源測定回路と、前記直流電圧で駆動する駆動部とを備え、前記電源測定回路で測定された直流電圧値が、前記駆動部の定格電圧値と異なる場合には、前記駆動部を停止するとともに、電源測定回路で前記直流電圧値を検出することを継続し、前記直流電圧値が、前記定格電圧値に復帰した場合には、前記駆動部の運転を再開させることにより、電源電圧の誤印加が発生しても、電源制御装置は停止せずに、印加されている電源電圧の測定を継続して行い、印加されている電源電圧値が、通常、駆動部が動作する電源電圧値になったときに、駆動部の運転を再開することができるので、駆動部の正常な運転が不能となる状態を防止し、また電源電圧の誤印加であるにも関わらず、設置異常であると製品が認識したまま停止するという事態を防止することができる。
【産業上の利用可能性】
【００２１】
以上のように、本発明に係る電源制御装置は、電源電圧の誤印加が発生した場合でも電源装置は停止せず、正常な印加電圧に戻った場合には、駆動部の運転を再開することが可能であるので、ヒートポンプ給湯機に限らず、空気調和機や電気温水器などの用途にも適用できる。
【図面の簡単な説明】
【００２２】
【図１】本発明の実施の形態１における電源制御装置の制御回路ブロック図
【図２】同実施の形態における制御チャート
【図３】他の実施の形態における制御チャート
【図４】他の実施の形態における制御チャート
【符号の説明】
【００２３】
１  電源制御装置
２  電圧変換回路
３  電源測定回路
５  リレースイッチ
６  交流電源
７  運転状況表示部
８  駆動部
１０  電源制御部
【図１】
2007151254.tif 000003
【図２】
2007151254.tif 000004
【図３】
2007151254.tif 000005
【図４】
2007151254.tif 000006